(57)【要約】【課題】生産性、取扱い性に優れ、しかも、設置作業性に優れた鳥獣害防止具を提供すること。【解決手段】少なくとも一つの角部２１と両端部２２・２２とを有する切込み線２が複数並んで形成され、互いに隣り合う切込み線２同士の間に折曲げ予定部３が設定された板状材１から成る鳥獣害防止具において、折曲げ予定部３が一本の仮想直線Ａ上に設定され、切込み線２の角部２１が仮想直線Ａ上以外の位置に形成されている。【選択図】図２
2020039287.tif 000002
【特許請求の範囲】
【請求項１】
少なくとも一つの角部と両端部とを有する切込み線が複数並んで形成され、互いに隣り合う前記切込み線同士の間に折曲げ予定部が設定された板状材から成る鳥獣害防止具であって、
前記折曲げ予定部が一本の仮想直線上に設定され、前記切込み線の前記角部が前記仮想直線上以外の位置に形成されており、
設置時に、前記板状材を前記折曲げ予定部で折り曲げることにより前記切込み線と前記仮想直線とで囲まれて成る刺部を突出させることを特徴とした鳥獣害防止具。
【請求項２】
互いに隣り合う前記切込み線の前記端部同士の間に前記折曲げ予定部が設定されていることを特徴とした請求項１に記載の鳥獣害防止具。
【請求項３】
前記切込み線が、前記仮想直線からみた前記角部の向きを交互に逆向きに異ならせて複数並んで形成されていることを特徴とした請求項１または請求項２に記載の鳥獣害防止具。
【請求項４】
前記切込み線が、複数の前記角部を有することを特徴とした請求項１〜請求項３のいずれかに記載の鳥獣害防止具。
【請求項５】
前記切込み線が、前記仮想直線からみた向きが逆向きの複数の前記角部を有することを特徴とした請求項４に記載の鳥獣害防止具。
【発明の詳細な説明】
【技術分野】
【０００１】
本発明は、鳥獣害防止具、より詳しくは、例えば農作地等への猿、猪等の侵入被害や、送電設備における鳥類の短絡事故、住居のべランダ等における鳥類の糞害等を防ぐための鳥獣害防止具に関するものである。
【背景技術】
【０００２】
従来、農作地や果樹園への猿、猪等の侵入被害を防ぐための侵入防止具として、例えば下記特許文献１に記載のものが提案されている。この侵入防止具は、板材や筒材等の長尺部材の表面に多数の針状突起を設けたものであり、これを農作地等を囲う柵の上部に設置することにより、猿が柵の上部に手を掛けて柵を乗り越えることを防ぎ、また、柵の下部に設置することにより、猪等が地面を掘って柵を潜り抜けることを防ぐものである。
【０００３】
また、従来、送電塔や送電線等の送電設備における鳥類による短絡事故や、住居のベランダ等における鳥類による糞害等を防ぐための鳥害防止具として、例えば、下記特許文献２に記載のものが提案されている。この鳥害防止具もまた、長尺部材等の表面に多数の針状突起を設けたものであり、これを送電設備やベランダの手摺り等に設置することにより、飛来した鳥類が其処に止まったり、営巣したりすることを防ぐものである。
【０００４】
しかしながら、これらの鳥獣害防止具は、生産時に多数の針状突起を一本ずつ長尺部材の表面に立設する必要があり、生産性に劣る難点があった。さらに、これら鳥獣害防止具は、多数の針状突起を有することから、その搬送時や保管時に嵩張って無駄なスペースをとり、また、針状突起が外部に引っ掛かり易く、取扱い性に難点があった。
【０００５】
一方、生産性や取扱い性を向上させた侵入防止具として、従来、下記特許文献３に記載のものが提案されている。しかしながら、この侵入防止具は、設置時に多数の刺部をそれぞれ折り曲げて突出させる必要があり、設置作業に手間がかかる難点があった。また、特許文献３には、刺部と相似した多数の凸部をもつ起立用器具を利用することにより、多数の刺部を同時に折り曲げることが開示されているが、この場合、設置作業時に起立用器具を別途準備しなければならない難点がある。
【先行技術文献】
【特許文献】
【０００６】
【特許文献１】特開２００９−２４０２９５号公報
【特許文献２】特開昭６１−２３９８３２号公報
【特許文献３】特開２０００−２４５３２６号公報
【発明の概要】
【発明が解決しようとする課題】
【０００７】
本発明は、従来の鳥獣害防止具に上記のような難点があったことに鑑みて為されたもので、生産性、取扱い性に優れ、しかも、設置作業性に優れた鳥獣害防止具を提供することを課題とする。
【課題を解決するための手段】
【０００８】
本発明は、少なくとも一つの角部と両端部とを有する切込み線が複数並んで形成され、互いに隣り合う前記切込み線同士の間に折曲げ予定部が設定された板状材から成る鳥獣害防止具であって、前記折曲げ予定部が一本の仮想直線上に設定され、前記切込み線の前記角部が前記仮想直線上以外の位置に形成されており、設置時に、前記板状材を前記折曲げ予定部で折り曲げることにより前記切込み線と前記仮想直線とで囲まれて成る刺部を突出させることを特徴としている。
【０００９】
また、本発明は、互いに隣り合う前記切込み線の前記端部同士の間に前記折曲げ予定部が設定されていることを特徴としている。
【００１０】
また、本発明は、前記切込み線が、前記仮想直線からみた前記角部の向きを交互に逆向きに異ならせて複数並んで形成されていることを特徴としている。
【００１１】
また、本発明は、前記切込み線が、複数の前記角部を有することを特徴としている。
【００１２】
また、本発明は、前記切込み線が、前記仮想直線からみた向きが逆向きの複数の前記角部を有することを特徴としている。
【発明の効果】
【００１３】
本発明に係る鳥獣害防止具は、複数の切込み線が形成された板状材を、これら切込み線同士の間に設定された折曲げ予定部で折り曲げるだけで、複数の刺部を同時に突出させることができる。したがって、本発明に係る鳥獣害防止具は、設置時に板状材を折り曲げる作業を行うだけで、そのまま柵や送電設備等へ取り付けることができ、設置作業性に優れている。
【００１４】
また、このように設置時に板状材を折り曲げて複数の突起部を突出させることができるので、従来品のように生産時に多数の針状突起を一本ずつ立設する必要がなく、生産性に優れており、そして、従来品のように搬送時や保管時に多数の突出する針状突起によって無駄なスペースをとったり、外部に引っ掛かることもなく、取扱い性に優れている。
【図面の簡単な説明】
【００１５】
【図１】本実施形態の鳥獣害防止具の平面図である。
【図２】本実施形態の鳥獣害防止具の部分拡大平面図である。
【図３】本実施形態の鳥獣害防止具の折曲げ状態の斜視図である。
【図４】本実施形態の鳥獣害防止具の設置状態の斜視図である。
【図５】本実施形態の鳥獣害防止具の他の設置状態の側面図である。
【図６】本実施形態の鳥獣害防止具の更に他の設置状態の側面図である。
【図７】本実施形態の鳥獣害防止具の他の折曲げ状態の斜視図である。
【図８】本発明に係る他の実施形態の鳥獣害防止具の部分拡大平面図である。
【図９】本発明に係る更に他の実施形態の鳥獣害防止具の部分拡大平面図である。
【図１０】本発明に係る更に他の実施形態の鳥獣害防止具の部分拡大平面図である。
【図１１】本発明に係る更に他の実施形態の鳥獣害防止具の部分拡大平面図である。
【図１２】本発明に係る更に他の実施形態の鳥獣害防止具の部分拡大平面図である。
【発明を実施するための形態】
【００１６】
図１に示すように、本実施形態の鳥獣害防止具１０は、金属製の帯状平薄板から成る板状材１に、板状材１の表裏面を貫通する複数の切込み線２が板状材１の長手方向に並んで形成され、そして、互いに隣り合う切込み線２同士の間に折曲げ予定部３が設定されて構成されている。また、板状材１の長辺に沿って、板状材１の表裏面を貫通する複数の通孔１１が所定間隔で開設されている。
【００１７】
図２に示すように、本実施形態の切込み線２は、一つの角部２１と両端部２２・２２とを有するＶ字形状または逆Ｖ字形状に形成されており、各切込み線２の一の端部２２と、隣りの切込み線２の他の端部２２との間に折曲げ予定部３が設定されている。これら全ての折曲げ予定部３は、板状材１の長辺と平行な一本の仮想直線Ａ上に設定されており、各切込み線２の角部２１は、仮想直線Ａ上以外の位置に形成されている。こうして板状材１には、各切込み線２と仮想直線Ａとで囲まれて成る複数の刺部４が形成されている。本実施形態では、切込み線２の角部２１を鋭角にしているので、刺部４の先端４１は鋭角を成している。
【００１８】
また、本実施形態では、複数の切込み線２が、仮想直線Ａからみた角部２１の向きを交互に逆向きに異ならせて並んで形成されている。即ち、板状材１には、Ｖ字形状の切込み線２と逆Ｖ字形状の切込み線２とが交互に並んで形成されている。なお、複数の切込み線２を、仮想直線Ａからみた角部２１の向きを同じにして並べて形成してもよい。
【００１９】
次に、図３及び図４を参照しながら本実施形態の鳥獣害防止具１０の設置作業について説明する。
【００２０】
鳥獣害防止具１０を設置する際、まず、図３に示すように、板状材１を折曲げ予定部３の位置でほぼ直角に折り曲げる。このとき、切込み線２により形成された刺部４には、その折曲げ力が掛からないため、山折りされた板状材１の外方へ向かって、全ての刺部４が同時に突出する。
【００２１】
そして、図４に示すように、山折りした板状材１をそのまま、例えば農作地を囲う木製柵の上部の角材Ｓに当て、板状材１の通孔１１を利用して釘Ｎを角材Ｓに打ち込んで固定する。こうして柵の上部に鳥獣害防止具１０を設置する。なお、この鳥獣害防止具１０は、柵の横桟等の横架材だけでなく、柱材にも設置可能である。
【００２２】
この鳥獣害防止具１０の設置によって、猿が柵を乗り越えようと柵上部に手を掛けた際に、刺部４により猿に刺痛を与え、農作地等への侵入を防ぐのである。また、鳥獣害防止具１０を柵の下部に設置すれば、猪等が地面を掘って柵を潜り抜けるのを防ぐことができ、送電設備や住宅のベランダ等に設置すれば、鳥類の短絡事故や糞害等を防ぐことができる。
【００２３】
なお、本実施形態の鳥獣害防止具１０の他の設置手順として、まず、板状材１を平板形状のまま、その折曲げ予定部３を角材Ｓの角部に合わせて板状材１の片側半分だけを角材Ｓに当てて釘Ｎで固定し、次いで、角材Ｓからはみ出した板状材１の残りの片側半分を折曲げ予定部３の位置で折り曲げて刺部４を突出させ、そして、折り曲げた板状材１の残りの片側半分を釘Ｎで角材Ｓに固定するようにしてもよい。この場合、角材Ｓの角部に沿って板状材１を折り曲げることができ、設置作業をより簡単に行うことができる。
【００２４】
また、本実施形態の鳥獣害防止具１０は、図５に示すように、三角柱形状の取付部材Ｔを利用して、例えば板塀等の壁面Ｗに設置することも可能である。ほぼ直角に山折りした板状材１の入隅部分に取付部材Ｔを当て、釘Ｎを取付部材Ｔ及び壁材Ｗに打ち込んで固定することにより、鳥獣害防止具１０を壁面Ｗに安定に設置することができる。
【００２５】
また、本実施形態の鳥獣害防止具１０は、図６に示すように、公知の結束バンドＢや針金等を利用して、例えば鋼管等の円筒材Ｒに設置することも可能である。ほぼ直角に山折りした板状材１を円筒材Ｒの外周面上に跨がせて結束バンドＢ等で固定することにより、鳥獣害防止具１０を円筒材Ｒに安定に設置することができる。
【００２６】
本実施形態の鳥獣害防止具１０は、釘Ｎや結束バンドＢのほか、接着剤、ネジ、ボルト及びナット等の他の固定手段を用いて固定することもできる。農作地等を囲う柵やフェンス、送電塔や送電線等の送電設備、住居のベランダ等の設置場所の材質、形状、状況等に応じて種々の固定手段を採用することができる。
【００２７】
また、本実施形態の鳥獣害防止具１０は、図７に示すように、板状材１を折曲げ予定部３の位置でほぼ１８０度、折り曲げて刺部４を突出させてもよい。このことで、複数の刺部４を、ほぼ一列に、そして、板状材１を９０度折り曲げる場合よりも密に突出させることができる。また、二つ折りした板状材１をその長手方向に湾曲ないし屈曲させることが可能となるため、鳥獣害防止具１０の設置自由度を高めることができる。
【００２８】
このように本実施形態の鳥獣害防止具１０は、設置時に、板状材１を折曲げ予定部３で折り曲げるだけで、複数の刺部２を同時に突出させることができ、そのまま柵やフェンス、送電設備等へ取り付けることができ、設置作業性に優れている。
【００２９】
しかも、本実施形態の鳥獣害防止具１０は、板状材１に、その表裏面を貫通する切込み線２が複数並んで形成され、これら切込み線２同士の間に、仮想直線Ａ上に並ぶ複数の折曲げ予定部３が設定されているので、帯状の板状材１を幅方向に折り曲げる場合、折曲げ予定部３の位置が、他の位置よりも最も折り曲げ易い。したがって、特別な折曲げ治具を用いることなく、設置現場で容易に板状材１の折曲げ作業を行うことができ、この点においても設置作業性に優れている。
【００３０】
さらに、本実施形態の鳥獣害防止具１０は、基本的に板状材１に複数の切込み線２を形成するだけで生産することができるので、例えば金属板材の打抜き加工等により量産することができる。従来品のように生産時に多数の針状突起を一本ずつ立設する必要もなく、生産性に優れている。
【００３１】
さらに、本実施形態の鳥獣害防止具１０は、平板形状のまま、互いに多数枚積み重ねて搬送し、保管することができる。従来品のように搬送時や保管時に多数の突出する針状突起によって無駄なスペースをとったり、針状突起が外部に引っ掛かることもなく、取扱い性に優れている。
【００３２】
以上、本実施形態の鳥獣害防止具１０について説明したが、本発明は他の実施形態でも実施することができる。
【００３３】
例えば、図８に示す鳥獣害防止具２０のように、各切込み線５が複数の角部５１・５１を有していてもよい。即ち、鳥獣害防止具２０の切込み線５は、二つの角部５１・５１と両端部５２・５２とを有するＭ字形状またはＷ字形状に形成されており、各切込み線５の一の端部５２と、隣りの切込み線５の他の端部５２との間に、仮想直線Ａ上に並ぶ折曲げ予定部３が設定されている。
【００３４】
この鳥獣害防止具２０によれば、板状材１を折曲げ予定部３で折り曲げた場合、二つの先端６１・６１を有する刺部６を複数、突出させることができ、鳥獣に刺痛を与える刺部６の先端６１の数、密度を大きくすることができる。なお、各切込み線５が３つ以上の角部を有していてもよく、また、角部毎にその角度や仮想直線Ａからの距離を異ならせてもよい。
【００３５】
また、図９に示す鳥獣害防止具３０のように、各切込み線７が、仮想直線Ａからみた向きが互いに逆向きになった複数の角部７１・７１を有していてもよい。即ち、鳥獣害防止具３０の切込み線７は、仮想直線Ａを挟んで両側に形成された、互いに逆向きの二つの角部７１・７１と、仮想直線Ａ上に形成された両端部７２・７２とを有する略Ｚ字形状に形成されており、各切込み線７の一の端部７２と、隣りの切込み線７の他の端部７２との間に、仮想直線Ａ上に並ぶ折曲げ予定部３が設定されている。
【００３６】
この鳥獣害防止具３０においても、上述した鳥獣害防止具１０と同様、板状材１を折曲げ予定部３で折り曲げた場合、各切込み線７と仮想直線Ａとで囲まれて成る複数の刺部８が、山折りされた板状材１の外方へ向かって同時に突出する。
【００３７】
鳥獣害防止具３０は、一つの切込み線７により二つの刺部８が形成されるので、刺部８の形成数当たりの折曲げ予定部３の数を少なくすることができ、板状材１の折曲げ作業をより容易に行うことができる。なお、切込み線７が互いに逆向きの３つ以上の角部を有していてもよく、また、角部毎にその角度や仮想直線Ａからの距離を異ならせてもよい。
【００３８】
また、図１０に示す鳥獣害防止具４０のように、互いに隣り合う複数の切込み線２の端部２２以外の部位２３同士の間に折曲げ予定部３が設定されていてもよい。この鳥獣害防止具４０によれば、板状材１を折り曲げる際、折曲げ予定部３が多少湾曲状態で折れ曲がったとしても、各刺部４は切込み線２の端部２２から突出することになるため、各刺部４を、山折りされた板状材１の外方へ向かって確実に突出させることが可能となる。
【００３９】
また、図１１に示す鳥獣害防止具５０のように、各切込み線２の延長線上に隣りの切込み線２が形成されていてもよい。上記実施形態の鳥獣害防止具１０、２０、３０、４０においては、互いに隣り合う複数の切込み線同士の間に設定された、それぞれの折曲げ予定部３は、その全体が仮想直線Ａ上に位置しているが、本発明はこれに限定されるものではなく、この鳥獣害防止具５０のように、それぞれの折曲げ予定部３は、その一部分が仮想直線Ａ上に位置していればよい。この鳥獣害防止具５０によれば、折曲げ予定部３における板状材１の折曲げ自由度を向上させることができる。
【００４０】
また、図１２に示す鳥獣害防止具６０のように、各切込み線２の二つの端部２２・２２の間に、隣りの切込み線２の一方の端部２２を位置させるようにしてもよい。この鳥獣害防止具６０によれば、刺部４の密度を高めることができる。
【００４１】
また、上記実施形態では、金属製の板状材１を採用しているが、本発明はこれに限定されるものでなく、折り曲げ可能な合成樹脂製の板状材を採用してもよい。また、板状材の形状についても、図１等に示した長さ、幅、厚みの帯状平薄板に限定されるものではなく、設置場所等に応じて種々の設計変更が可能である。
【００４２】
また、上記実施形態では、板状材１に、同じ形状の切込み線を繰り返し並べて形成しているが、互いに異なる形状の切込み線を並べて形成するようにしてもよい。
【００４３】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【符号の説明】
【００４４】
１０、２０、３０、４０、５０、６０  鳥獣害防止具
１  板状材
２、５、７  切込み線
２１、５１、７１  角部
２２、５２  ７２  端部
３  折曲げ予定部
４、６、８  刺部
Ａ  仮想直線
【図１】
2020039287.tif 000003
【図２】
2020039287.tif 000004
【図３】
2020039287.tif 000005
【図４】
2020039287.tif 000006
【図５】
2020039287.tif 000007
【図６】
2020039287.tif 000008
【図７】
2020039287.tif 000009
【図８】
2020039287.tif 000010
【図９】
2020039287.tif 000011
【図１０】
2020039287.tif 000012
【図１１】
2020039287.tif 000013
【図１２】
2020039287.tif 000014